(57)【要約】【課題】ハンズフリー通話時における通話音量の不安定を解決し、常に均一で安定した通話品質を確保できるハンズフリー装置を提供する。【解決手段】ハンズフリー装置２０は、携帯電話Ｉ／Ｆ２１、カーナビゲーションＩ／Ｆ２２、ＭＰＵ２３及び音声ゲインパラメータテーブル２５ａ、２５ｂ、２５ｃを備え、携帯電話１０とカーナビゲーション３０間における音声信号を中継する。音声ゲインパラメータテーブル２５ａ、２５ｂ、２５ｃには、予め各携帯電話１０に対する最適な音声ゲインパラメータを登録する。ＭＰＵ２３は、携帯電話１０から送られてくる機種情報により音声ゲインパラメータテーブル２５ａ、２５ｂ、２５ｃをアクセスして音声ゲインパラメータを読み出し、音声信号ゲインを最適値に設定して携帯電話１０とカーナビゲーション３０との間の中継制御を行う。【選択図】図１
2011166695.tif 000002
【特許請求の範囲】
【請求項１】
携帯電話とカーナビゲーションが接続され、該携帯電話とカーナビゲーションとの間で音声信号を中継するハンズフリー装置において、
前記携帯電話の各種型式に関する情報が予め登録される情報テーブルと、任意に接続された前記携帯電話から出力される機種情報に基づいて前記情報テーブルに予め登録されている型式に関する情報を読み出し、該情報により最適な音声ゲインを設定して前記携帯電話とカーナビゲーションとの間における音声信号のレベルを制御する処理装置とを具備することを特徴とするハンズフリー装置。
【発明の詳細な説明】
【技術分野】
【０００１】
本発明は、携帯電話とカーナビゲーションが接続されるハンズフリー装置に関する。
【背景技術】
【０００２】
現在、道路交通法では車の運転中における携帯電話の操作が禁止されているため、運転中に電話する際には、携帯電話を手に持つことなく通話することができるハンズフリー装置が用いられている（例えば、特許文献１参照。）。
また、ハンズフリー装置では、音声通話機能を備えたカーナビゲーションと携帯電話を接続し、携帯電話とカーナビゲーションとの間を中継するようにしたものが実用化されている。
【０００３】
上記携帯電話とカーナビゲーションとの間を中継するハンズフリー装置において、携帯電話の音声出力レベルが各メーカによって、すなわち携帯電話の機種毎に異なるため、ハンズフリー装置からの音声出力レベルが不安定なものとなっている。このためハンズフリー装置に接続される携帯電話によっては、ハンズフリー通話時の通話音量が低すぎたり、逆に大きすぎて音割れが発生している。
【先行技術文献】
【特許文献】
【０００４】
【特許文献１】特開平１１−２８９３７８号公報
【発明の概要】
【発明が解決しようとする課題】
【０００５】
上記のように携帯電話とカーナビゲーションとの間を中継する従来のハンズフリー装置において、携帯電話の音声出力レベルが機種毎に異なるため、ハンズフリー装置に接続される携帯電話によってはハンズフリー通話時の通話音量が低すぎたり、逆に大きすぎて音割れが発生するという問題があった。
【０００６】
通常、携帯電話やカーナビゲーションには通話時のボリューム調整機能が搭載されているが、各メーカ毎にボリューム調整値も異なっており、均一で安定した通話品質を確保することが困難であった。
本発明は上記の課題を解決するためになされたもので、各種携帯電話の音声出力レベルの相違により発生するハンズフリー通話時の通話音量の不安定を解決し、常に均一で安定した通話品質を確保することができるハンズフリー装置を提供することを目的とする。
【課題を解決するための手段】
【０００７】
本発明は、携帯電話とカーナビゲーションが接続され、該携帯電話とカーナビゲーションとの間で音声信号を中継するハンズフリー装置において、前記携帯電話の各種型式に関する情報が予め登録される情報テーブルと、任意に接続された前記携帯電話から出力される機種情報に基づいて前記情報テーブルに予め登録されている型式に関する情報を読み出し、該情報により最適な音声ゲインを設定して前記携帯電話とカーナビゲーションとの間における音声信号のレベルを制御する処理装置とを具備することを特徴とする。
【発明の効果】
【０００８】
本発明によれば、ハンズフリー装置に接続される携帯電話の音声信号出力レベルが異なっていても、ハンズフリー通話時の通話音量が低すぎたり、逆に大きすぎて音割れが発生するという問題を解決でき、常に均一で安定した通話品質を確保することができる。
【０００９】
の効果を奏する。
【図面の簡単な説明】
【００１０】
【図１】本発明の実施例１に係るハンズフリー装置の構成を示すブロック図である。
【図２】同実施例１に係るハンズフリー装置の処理動作を示すフローチャートである。
【図３】本発明の実施例２に係るハンズフリー装置の構成を示すブロック図である。
【発明を実施するための形態】
【００１１】
以下、本発明の実施の形態について、図面を参照して詳細に説明する。
【実施例１】
【００１２】
図１は本発明の実施例１に係るハンズフリー装置の構成を示すブロック図である。
図１において、２０は携帯電話１０とカーナビゲーション３０との間を中継するハンズフリー装置で、外部機器接続用Ｉ／Ｆ（インタフェース）として携帯電話Ｉ／Ｆ２１及びカーナビゲーションＩ／Ｆ２２を備えている。上記携帯電話Ｉ／Ｆ２１には自動車の運転者が使用する任意の携帯電話１０が有線または無線により接続され、カーナビゲーションＩ／Ｆ２２にはカーナビゲーション３０のハンズフリーＩ／Ｆ３１が有線または無線の接続回線３２により接続される。
【００１３】
なお、実施例１では、携帯電話Ｉ／Ｆ２１に例えばＡ社○○Ａ型の携帯電話１０ａ、Ｂ社○○Ｂ型の携帯電話１０ｂ、Ｃ社○○Ｃ型の携帯電話１０ｃの１つが任意に接続される場合を想定し、携帯電話１０と携帯電話Ｉ／Ｆ２１との間を有線回線１１により有線接続する場合を例として示している。
【００１４】
上記カーナビゲーション３０は、ＧＰＳ（全地球測位システム）や車速パルス、ジャイロなどの自律航法装置を利用して、自動車の運行時に運転者に対してディスプレイ画面上に現在位置や目的地への走行経路案内等を行う電子機器であり、音声により入出力を行う音声処理機能を備えている。
【００１５】
上記ハンズフリー装置２０には、処理装置として例えばＭＰＵ（Microprocessing Unit）２３が設けられる。このＭＰＵ２３は、携帯電話Ｉ／Ｆ２１及びカーナビゲーションＩ／Ｆ２２に接続され、携帯電話１０とカーナビゲーション３０との間における音声信号（オーディオ信号）を中継する。また、ハンズフリー装置２０は、外部接続される携帯電話の型式に関する情報を記憶するための情報テーブル２４を備えている。この情報テーブル２４は、例えば携帯電話の各メーカ別に設けられる複数の音声ゲインパラメータテーブル２５ａ、２５ｂ、２５ｃからなり、音声ゲインパラメータテーブル２５ａに例えば携帯電話１０ａの機種（Ａ社○○Ａ型）に対する最適な音声ゲインパラメータが登録され、音声ゲインパラメータテーブル２５ｂに携帯電話１０ｂの機種（Ｂ社○○Ｂ型）に対する最適な音声ゲインパラメータが登録され、音声ゲインパラメータテーブル２５ｃに携帯電話１０ｃの機種（Ｃ社○○Ｃ型）に対する最適な音声ゲインパラメータが登録される。
【００１６】
上記ＭＰＵ２３は、携帯電話１０から送られてくる機種情報を元に対応する音声ゲインパラメータテーブル２５ａ、２５ｂ、２５ｃを選択し、その選択したテーブルから音声ゲインパラメータを読み出し、この音声ゲインパラメータに基づいて携帯電話１０とカーナビゲーション３０との間における音声信号のゲインを最適値に調整する。
【００１７】
次に上記のように構成されたハンズフリー装置２０の動作を図２に示すフローチャートを参照して説明する。ハンズフリー装置２０を車両（自動車）にセットした際に、該ハンズフリー装置２０のカーナビゲーションＩ／Ｆ２２とカーナビゲーション３０のハンズフリーＩ／Ｆ３１との間を有線または無線の接続回線３２により接続する。
【００１８】
そして、ハンズフリー装置２０の音声ゲインパラメータテーブル２５ａ、２５ｂ、２５ｃには、各社の携帯電話１０ａに対する最適な音声ゲインパラメータを予め登録する。この場合の例では、音声ゲインパラメータテーブル２５ａにはＡ社○○Ａ型の携帯電話１０ａに対する音声ゲインパラメータ、音声ゲインパラメータテーブル２５ｂにはＢ社○○Ｂ型の携帯電話１０ｂに対する音声ゲインパラメータ、音声ゲインパラメータテーブル２５ｃにはＣ社○○Ｃ型の携帯電話１０ｃに対する音声ゲインパラメータを登録する。
【００１９】
上記ハンズフリー装置２０を使用する際、運転者は自分の携帯電話例えば携帯電話１０ｃを有線回線１１によりハンズフリー装置２０の携帯電話Ｉ／Ｆ２１に接続すると共に携帯電話１０ｃの電源をＯＮ状態とする。携帯電話１０ｃは、電源がＯＮされた際に自己の機種情報を出力し、有線回線１１を介してハンズフリー装置２０の携帯電話Ｉ／Ｆ２１へ送出する。
【００２０】
一方、ハンズフリー装置２０は、電源スイッチをＯＮしてカーアダプタから電源が供給されることで動作し、ＭＰＵ２３により図２に示す処理を開始する。ＭＰＵ２３は、先ず携帯電話１０ｃから機種情報が送られてきているかどうかをチェックし（ステップＡ１）、機種情報が送られてきていなければそのまま待機する。ＭＰＵ２３は、携帯電話１０ｃから機種情報が送られてくるとメモリ（図示せず）に記憶し（ステップＡ２）、この機種情報に基づいて情報テーブル２４をアクセスし、音声ゲインパラメータテーブル２５ｃに予め登録されている音声ゲインパラメータを読み出す（ステップＡ３）。そして、ＭＰＵ２３は、上記音声ゲインパラメータテーブル２５ｃから読み出した音声ゲインパラメータにより、音声ゲインを最適値に設定して携帯電話１０ｃとカーナビゲーション３０との間の中継制御を行う（ステップＡ４）。
【００２１】
その後、ＭＰＵ２３は、ハンズフリー装置２０の電源がＯＦＦされたかどうかをチェックすると共に、携帯電話１０ｃと携帯電話Ｉ／Ｆ２１との間の接続が遮断されたかどうかをチェックし（ステップＡ５、Ａ６）、ハンズフリー装置２０の電源が供給されており、且つ携帯電話１０ｃと携帯電話Ｉ／Ｆ２１との間が正常に接続されていればステップＡ４に戻り、携帯電話１０ｃとカーナビゲーション３０との間の音声信号の中継動作を継続する。
【００２２】
そして、上記ステップＡ５でハンズフリー装置２０の電源ＯＦＦが検出された場合、あるいはステップＡ６で携帯電話１０ｃと携帯電話Ｉ／Ｆ２１との間における回線の遮断が検出された場合、ハンズフリー装置２０は携帯電話１０ｃとカーナビゲーション３０との間の中継動作を終了する。
【００２３】
以上はハンズフリー装置２０の携帯電話Ｉ／Ｆ２１に携帯電話１０ｃを接続した場合について示したが、携帯電話Ｉ／Ｆ２１に他の携帯電話１０ａを接続した場合には、ＭＰＵ２３は上記の場合と同様に携帯電話１０ａから送られてくる機種情報に基づいて情報テーブル２４をアクセスし、音声ゲインパラメータテーブル２５ａに予め登録されている音声ゲインパラメータを読み出して携帯電話１０ａに対する音声ゲインを最適値に設定し、携帯電話１０ａとカーナビゲーション３０との間の中継制御を行う。
【００２４】
また、携帯電話Ｉ／Ｆ２１に携帯電話１０ｂを接続した場合には、ＭＰＵ２３は携帯電話１０ｂから送られてくる機種情報に基づいて情報テーブル２４をアクセスし、音声ゲインパラメータテーブル２５ｂに予め登録されている音声ゲインパラメータを読み出して携帯電話１０ｂに対する音声ゲインを最適値に設定し、携帯電話１０ｂとカーナビゲーション３０との間の中継制御を行う。
【００２５】
上記のようにハンズフリー装置２０の携帯電話Ｉ／Ｆ２１に接続される携帯電話１０の機種に応じて情報テーブル２４から音声ゲインパラメータを読み出して音声ゲインを設定することにより、各携帯電話１０ａ、１０ｂ、１０ｃの音声信号出力レベルが異なっていても、ハンズフリー通話時の通話音量が低すぎたり、逆に大きすぎて音割れが発生するという問題を解決でき、常に均一で安定した通話品質を確保することができる。
【００２６】
なお、上記実施例１では、ハンズフリー装置２０の携帯電話Ｉ／Ｆ２１に３社の携帯電話１０ａ、１０ｂ、１０ｃを接続する場合について説明したが、更に多数の携帯電話を接続する場合においても、各携帯電話に応じて音声ゲインパラメータテーブル２５ａ、２５ｂ、…を設けることにより、対応することができる。
【００２７】
また、上記実施例１では、各音声ゲインパラメータテーブル２５ａ、２５ｂ、２５ｃにそれぞれ１機種の音声ゲインパラメータを登録する場合について示したが、各音声ゲインパラメータテーブル２５ａ、２５ｂ、２５ｃにそれぞれ複数機種の音声ゲインパラメータを登録するようにしてもよい。また、各音声ゲインパラメータテーブル２５ａ、２５ｂ、２５ｃには、新しい機種の携帯電話が発売される都度、その携帯電話に最適の音声ゲインパラメータを登録するようにしてもよい。上記音声ゲインパラメータテーブル２５ａ、２５ｂ、２５ｃに対して音声ゲインパラメータを登録する場合、例えば携帯電話Ｉ／Ｆ２１に接続した携帯電話１０からデータを入力したり、あるいはハンズフリー装置２０にパーソナルコンピュータを接続してデータを入力することにより、音声ゲインパラメータを更新することができる。
【００２８】
また、上記にように各音声ゲインパラメータテーブル２５ａ、２５ｂ、２５ｃにそれぞれ複数機種の携帯電話の音声ゲインパラメータを登録した場合において、音声ゲインパラメータテーブル２５ａ、２５ｂ、２５ｃに登録されていない携帯電話が携帯電話Ｉ／Ｆ２１に接続された場合には、該携帯電話の機種情報を基に、同一メーカの音声ゲインパラメータの中から予め定めた代表的な音声ゲインパラメータを選択して音声ゲインを設定する。
【００２９】
このような構成とすることにより、音声ゲインパラメータテーブル２５ａ、２５ｂ、２５ｃに登録されていない携帯電話が携帯電話Ｉ／Ｆ２１に接続された場合においても、最適値に略等しい音声ゲインパラメータを選択して音声ゲインを設定することができる。
【実施例２】
【００３０】
次に本発明の実施例２に係るハンズフリー装置について説明する。
この実施例２に係るハンズフリー装置は、図３に示すように携帯電話１０とハンズフリー装置２０の携帯電話Ｉ／Ｆ２１との間を例えばBluetooth（登録商標）等の近距離の無線回線１２により接続したものである。この場合、携帯電話１０及び携帯電話Ｉ／Ｆ２１としては、Bluetooth対応のものを使用する。その他の構成は、実施例１に示したものと同じであるので、同一部分には同一符号を付して詳細な説明は省略する。
【００３１】
上記実施例２では、実施例１と同様に各携帯電話１０ａ、１０ｂ、１０ｃの音声信号出力レベルが異なっていても、常に均一で安定した通話品質を確保することができ、且つ携帯電話１０とカーナビゲーションＩ／Ｆ２２との間を有線接続する必要がなく、非常に簡単にハンズフリーによる通話を行うことができる。
【００３２】
なお、本発明は、上記実施形態そのままに限定されるものではなく、実施段階ではその要旨を逸脱しない範囲で構成要素を変形して具体化できるものである。
【符号の説明】
【００３３】
１０、１０ａ、１０ｂ、１０ｃ…携帯電話、１１…有線回線、１２…無線回線、２０…ハンズフリー装置、２１…携帯電話Ｉ／Ｆ（インタフェース）、２２…カーナビゲーションＩ／Ｆ（インタフェース）、２３…ＭＰＵ、２４…情報テーブル、２５ａ、２５ｂ、２５ｃ…音声ゲインパラメータテーブル、３０…カーナビゲーション、３１…ハンズフリーＩ／Ｆ（インタフェース）、３２…有線または無線の接続回線。
【図１】
2011166695.tif 000003
【図２】
2011166695.tif 000004
【図３】
2011166695.tif 000005